(57)【要約】      （修正有）【課題】下駄箱筐体内の収納室を、マイナスイオン効果と炭効果で細菌と臭いの元であるバクテリアやカビ等の細菌を効率よく殺菌し履物を良好な状態で保存できるイオン発生器内蔵型下駄箱を提供する。【解決手段】下駄箱筐体１の筐体内に隔壁１６を構成する履物の収納室とは別室に内気流通路８を形成し、前記内気流通路８に内気用にファン装置４とイオン発生器５と内気管６を構成し、ファンの吸入口から収納室の内気を取入れマイナスイオン化した内気を内気管６経由で収納室内に放出して筐体内に形成している空気流動経路３０で循環し細菌を殺菌する。収納室は扉にゴムパッキン２８が施されており密閉されているが筐体に炭を用いている箇所があることにより除湿と湿度調整ができ履物を良好な状態で保存ができる。また、各種のセンサ装置２５を制御装置１８で電気制御することにより効果的に臭いの消臭と細菌の殺菌ができる。【選択図】図１
2005058743.tif 000002
【特許請求の範囲】
【請求項１】
下駄箱筐体内に空気流動経路を形成し前記下駄箱筐体内にはマイナスイオンを発生するイオン発生器と、前記マイナスイオンを流動するファン装置とを具備し、下駄箱筐体内の履物を収納する収納室の空気をファン装置によって吸引し、吹出口から放出した空気にイオン発生器によってマイナスイオンを発生し、マイナスイオンを混入している空気が空気流動経路により履物を収納する収納室を流動することを特徴とするイオン発生器内蔵型下駄箱。
【請求項２】
下駄箱筐体内に空気流動経路を形成し下駄箱筐体内の履物を収納する収納室とは異なる下駄箱筐体内の場所に隔壁を構成する別室を具備し、前記別室に内気流通路を形成し前記別室の隔壁には履物を収納する収納室の内気の空気を取入れる内気吸入口及びマイナスイオンが混入している空気を履物を収納する収納室に放出する内気吹出口と、前記少なくとも１つの内気吸入口には脱着構造の粉塵等を除去するエアーフィルタ付内気吸入口と、前記履物を収納する収納室の空気を吸引し放出するファン装置と、前記ファン装置の吹出口から放出された空気にマイナスイオンを発生し混入するイオン発生器と、前記マイナスイオンが混入している空気を前記内気吹出口に導く内気管とを具備し、さらに前記内気吹出口にマイナスイオンが混入している空気の放出方向を決める内気流動用風向板を具備していることにより、履物を収納する収納室とは別室に内気流通路を形成しファン装置のファンの吸引力によって履物を収納する収納室の空気を内気吸入口から粉塵等を除去した空気を取入れファン装置の吹出口から放出された空気にイオン発生器で発生するマイナスイオンを混入し、前記マイナスイオンが混入している空気が内気管を通って内気吹出口から履物を収納する収納室にマイナスイオンが混入している空気を放出し、前記放出されたマイナスイオンが混入している空気が内気流動用風向板により放出方向が決められ、空気流動経路により履物を収納する収納室を流動し内気流通路を形成している別室と履物を収納する収納室を循環するようにしたことを特徴とするイオン発生器内蔵型下駄箱。
【請求項３】
下駄箱筐体内の履物を収納する収納室とは異なる下駄箱筐体内の場所に隔壁を構成する別室を具備し、前記別室に外気流通路を形成し下駄箱筐体には下駄箱筐体外の外気の空気を取入れる脱着構造の粉塵等を除去するエアーフィルタ付外気吸入口及びマイナスイオンが混入している空気を下駄箱筐体外に放出する外気吹出口と、前記下駄箱筐体外の外気の空気を吸引し放出するファン装置と、前記ファン装置の吹出口から放出された空気にマイナスイオンを発生し混入するイオン発生器と、前記マイナスイオンが混入している空気を前記外気吹出口に導く外気管とを具備していることにより、履物を収納する収納室とは別室に外気流通路を形成しファン装置のファンの吸引力によって下駄箱筐体外の外気の空気を外気吸入口から粉塵等を除去した空気を取入れファン装置の吹出口から放出された空気にイオン発生器で発生するマイナスイオンを混入し、前記マイナスイオンが混入している空気が外気管を通って外気吹出口から下駄箱筐体外にマイナスイオンが混入している空気が放出されることを特徴とするイオン発生器内蔵型下駄箱。
【請求項４】
請求項１または請求項２または請求項３において、イオン発生器内蔵型下駄箱に少なくとも履物を収納する１つの収納室と、前記少なくとも１つの収納室には臭いを検知する臭い検知手段と、前記検知する臭いに対応する設定データを記憶する記憶手段と、前記臭い検知手段で検知した臭いと前記記憶手段で記憶している臭いの設定データを比較する比較手段とを具備し、前記比較した結果に基づいてイオン発生器のマイナスイオンの発生とファン装置の回転の動作を制御することを特徴とするイオン発生器内蔵型下駄箱。
【請求項５】
請求項１または請求項２または請求項３において、イオン発生器内蔵型下駄箱に少なくとも履物を収納する１つの収納室と、前記少なくとも１つの収納室には湿度を検知する湿度検知手段と、前記検知する湿度に対応する設定データを記憶する記憶手段と、前記湿度検知手段で検知した湿度と前記記憶手段で記憶している湿度の設定データを比較する比較手段とを具備し、前記比較した結果に基づいてイオン発生器のマイナスイオンの発生とファン装置の回転の動作を制御することを特徴とするイオン発生器内蔵型下駄箱。
【請求項６】
請求項１または請求項２または請求項３において、イオン発生器内蔵型下駄箱に少なくとも履物を収納する１つの収納室と、前記少なくとも１つの収納室には履物を出し入れする扉の開閉状態を検知する扉開閉検知手段と、前記扉が開いているときに収納室を照らす照明手段と、前記扉が所定時間開いているときに警告の電子音を発する警告手段と、前記検知する扉の開閉状態に対応する設定データを記憶する記憶手段と、前記扉開閉検知手段で検知した扉の開閉状態と前記記憶手段で記憶している扉の開閉状態の設定データを比較する比較手段とを具備し、前記比較した結果に基づいてイオン発生器のマイナスイオンの発生とファン装置の回転の動作と収納室を照らす照明と警告の電子音を制御することを特徴とするイオン発生器内蔵型下駄箱。
【請求項７】
請求項１または請求項２または請求項３において、イオン発生器内蔵型下駄箱に少なくとも履物を収納する１つの収納室と、下駄箱筐体外での人の有無状態を検知する人体検知手段と、前記検知する人の有無状態に対応する設定データを記憶する記憶手段と、前記人体検知手段で検知した人の有無状態と前記記憶手段で記憶している人の有無状態の設定データを比較する比較手段とを具備し、前記比較した結果に基づいてイオン発生器のマイナスイオンの発生とファン装置の回転の動作を制御することを特徴とするイオン発生器内蔵型下駄箱。
【請求項８】
請求項１または請求項２または請求項３において、イオン発生器内蔵型下駄箱に少なくとも１つの収納室と、所定時間または所定時間毎の動作設定をするタイマー設定手段と、前記タイマー設定の設定データを記憶する記憶手段とを具備し、前記記憶した設定データに基づいてイオン発生器のマイナスイオンの発生とファン装置の回転の動作を制御することを特徴とするイオン発生器内蔵型下駄箱。
【請求項９】
請求項１及至８のいずれかの１つの請求項に記載のイオン発生器内蔵型下駄箱において、さらに下駄箱筐体にイオン発生器のマイナスイオンの発生とファン装置の回転の動作を表示する簡易な表示手段と、各制御の状態の表示と各制御の設定の表示と日付と時間を表示することができる表示手段と、各表示の選択と制御のＯＮ／ＯＦＦの選択と運転のＯＮ／ＯＦＦの選択と各設定の入力をすることができる操作手段とを具備していることを特徴とするイオン発生器内蔵型下駄箱。
【請求項１０】
請求項１及至８のいずれかの１つの請求項に記載のイオン発生器内蔵型下駄箱において、イオン発生器内蔵型下駄箱の筐体の面に炭の素材を用いている少なくとも１つの面または面の一部に構成し筐体からの脱着構造を具備していることを特徴とするイオン発生器内蔵型下駄箱。
【請求項１１】
請求項１及至８のいずれかの１つの請求項に記載のイオン発生器内蔵型下駄箱において、下駄箱の履物を出し入れするときに使用する扉を閉めたときに扉と筐体本体を密着する密着手段を具備することにより、下駄箱筐体内のマイナスイオンが混入している空気及び下駄箱筐体内の臭いと細菌が扉と筐体本体の隙間から放出されないことを特徴とするイオン発生器内蔵型下駄箱。
【請求項１２】
イオン発生器内蔵型下駄箱において、下駄箱筐体内の履物を収納する収納室とは異なる下駄箱筐体内の場所に隔壁を構成する別室を具備し、さらに前記別室に下駄箱筐体内の履物を収納する収納室を循環するマイナスイオンが混入している内気の空気と外気を取入れマイナスイオンが混入している空気を下駄箱筐体外に放出する空気が混同しないように隔壁を構成する内気流通路と外気流通路の構造と、さらに電気機器を隔壁で仕切る筐体内の構造になっていることを特徴とするイオン発生器内蔵型下駄箱。
【発明の詳細な説明】
【技術分野】
【０００１】
本発明はマイナスイオン効果と炭効果を具備しているイオン発生器内蔵型下駄箱に関する。
【背景技術】
【０００２】
下駄箱内の消臭と殺菌を実施する手段として、紫外線ランプを用いたオゾンを発生させて実施するものがある。一般的にオゾンは高濃度になってしまった場合に人間の人体に影響があると言われていることから使い方によっては人体に害を及ぼす可能性がある。また、オゾンはオゾン臭を感じてしまい不快感を人間に与えてしまう可能性がある。また、オゾン発生に紫外線を放射していることから、漏れてきた紫外線によって履物の素材の劣化等が速まることが考察される。
【０００３】
また、履物や下駄箱の消臭や殺菌等をする別の手段として、一般的に缶入りのスプレー式よる化学薬品の噴射による消臭や殺菌ができるようなものが販売されているが、基本的に化学薬品なので人体に影響があると考察される。また、定期的に吹付けないと革の履物はカビが発生することがある。よって、化学薬品を用いた消臭や殺菌は短期的には良いと思われるが長期的には手間や保存状態の維持を考察すると効果はあまり期待できない。
【０００４】
下駄箱内の消臭を筐体内の空気をファン装置で排出するときに消臭フィルタで臭いを取り除いて筐体外に放出する下駄箱があるが、基本的に臭いの元である細菌を殺菌していないので効果があまり期待できない。
【発明の開示】
【発明が解決しようとする課題】
【０００５】
そこで本発明は、短期及び長期に使用しても履物の材質や色が劣化しない人体に安全な手段で、下駄箱内と下駄箱内に収納された履物に浮遊及び付着している細菌を殺菌することで臭いの消臭やカビの発生の防止等ができるようにする。そして、設置している下駄箱周辺に浮遊及び付着している細菌をも殺菌することができるようにする電気制御で衛生的な履物の保存及び使用ができるイオン発生器内蔵型下駄箱を提供する。
【０００６】
そして、履物からの臭いや細菌等が下駄箱内の履物を収納する収納室から漏れないように履物を出し入れする扉と下駄箱筐体が密着できるようにして、臭いの消臭や細菌の殺菌等の処理を衛生的に行うことができるようにする。そして、前記扉と下駄箱筐体が密着していても下駄箱筐体が履物に付着した人間の足の湿気やその他履物に付着した湿気を除湿及び湿度調整ができるようにする電気制御で衛生的な履物の保存及び使用ができるイオン発生器内蔵型下駄箱を提供する。
【課題を解決するための手段】
【０００７】
上記課題を解決するための手段として、請求項１記載の発明は、下駄箱筐体内に空気流動経路を形成し前記下駄箱筐体内にはマイナスイオンを発生するイオン発生器と、前記マイナスイオンを流動するファン装置とを具備し、下駄箱筐体内の履物を収納する収納室の空気をファン装置によって吸引し、吹出口から放出した空気にイオン発生器によってマイナスイオンを発生し、マイナスイオンを混入している空気が空気流動経路により履物を収納する収納室を流動することを特徴としている。
【０００８】
請求項２記載の発明は、下駄箱筐体内に空気流動経路を形成し下駄箱筐体内の履物を収納する収納室とは異なる下駄箱筐体内の場所に隔壁を構成する別室を具備し、前記別室に内気流通路を形成し前記別室の隔壁には履物を収納する収納室の内気の空気を取入れる内気吸入口及びマイナスイオンが混入している空気を履物を収納する収納室に放出する内気吹出口と、前記少なくとも１つの内気吸入口には脱着構造の粉塵等を除去するエアーフィルタ付内気吸入口と、前記履物を収納する収納室の空気を吸引し放出するファン装置と、前記ファン装置の吹出口から放出された空気にマイナスイオンを発生し混入するイオン発生器と、前記マイナスイオンが混入している空気を前記内気吹出口に導く内気管とを具備し、さらに前記内気吹出口にマイナスイオンが混入している空気の放出方向を決める内気流動用風向板を具備していることにより、履物を収納する収納室とは別室に内気流通路を形成しファン装置のファンの吸引力によって履物を収納する収納室の空気を内気吸入口から粉塵等を除去した空気を取入れファン装置の吹出口から放出された空気にイオン発生器で発生するマイナスイオンを混入し、前記マイナスイオンが混入している空気が内気管を通って内気吹出口から履物を収納する収納室にマイナスイオンが混入している空気を放出し、前記放出されたマイナスイオンが混入している空気が内気流動用風向板により放出方向が決められ、空気流動経路により履物を収納する収納室を流動し内気流通路を形成している別室と履物を収納する収納室を循環するようにしたことを特徴としている。
【０００９】
請求項３記載の発明は、下駄箱筐体内の履物を収納する収納室とは異なる下駄箱筐体内の場所に隔壁を構成する別室を具備し、前記別室に外気流通路を形成し下駄箱筐体には下駄箱筐体外の外気の空気を取入れる脱着構造の粉塵等を除去するエアーフィルタ付外気吸入口及びマイナスイオンが混入している空気を下駄箱筐体外に放出する外気吹出口と、前記下駄箱筐体外の外気の空気を吸引し放出するファン装置と、前記ファン装置の吹出口から放出された空気にマイナスイオンを発生し混入するイオン発生器と、前記マイナスイオンが混入している空気を前記外気吹出口に導く外気管とを具備していることにより、履物を収納する収納室とは別室に外気流通路を形成しファン装置のファンの吸引力によって下駄箱筐体外の外気の空気を外気吸入口から粉塵等を除去した空気を取入れファン装置の吹出口から放出された空気にイオン発生器で発生するマイナスイオンを混入し、前記マイナスイオンが混入している空気が外気管を通って外気吹出口から下駄箱筐体外にマイナスイオンが混入している空気が放出されることを特徴としている。
【００１０】
請求項４記載の発明は、請求項１または請求項２または請求項３において、イオン発生器内蔵型下駄箱に少なくとも履物を収納する１つの収納室と、前記少なくとも１つの収納室には臭いを検知する臭い検知手段と、前記検知する臭いに対応する設定データを記憶する記憶手段と、前記臭い検知手段で検知した臭いと前記記憶手段で記憶している臭いの設定データを比較する比較手段とを具備し、前記比較した結果に基づいてイオン発生器のマイナスイオンの発生とファン装置の回転の動作を制御することを特徴としている。
【００１１】
請求項５記載の発明は、請求項１または請求項２または請求項３において、イオン発生器内蔵型下駄箱に少なくとも履物を収納する１つの収納室と、前記少なくとも１つの収納室には湿度を検知する湿度検知手段と、前記検知する湿度に対応する設定データを記憶する記憶手段と、前記湿度検知手段で検知した湿度と前記記憶手段で記憶している湿度の設定データを比較する比較手段とを具備し、前記比較した結果に基づいてイオン発生器のマイナスイオンの発生とファン装置の回転の動作を制御することを制御することを特徴としている。
【００１２】
請求項６記載の発明は、請求項１または請求項２または請求項３において、イオン発生器内蔵型下駄箱に少なくとも履物を収納する１つの収納室と、前記少なくとも１つの収納室には履物を出し入れする扉の開閉状態を検知する扉開閉検知手段と、前記扉が開いているときに収納室を照らす照明手段と、前記扉が所定時間開いているときに警告の電子音を発する警告手段と、前記検知する扉の開閉状態に対応する設定データを記憶する記憶手段と、前記扉開閉検知手段で検知した扉の開閉状態と前記記憶手段で記憶している扉の開閉状態の設定データを比較する比較手段とを具備し、前記比較した結果に基づいてイオン発生器のマイナスイオンの発生とファン装置の回転の動作と収納室を照らす照明と警告の電子音を制御することを特徴としている。
【００１３】
請求項７記載の発明は、請求項１または請求項２または請求項３において、イオン発生器内蔵型下駄箱に少なくとも履物を収納する１つの収納室と、下駄箱筐体外での人の有無状態を検知する人体検知手段と、前記検知する人の有無状態に対応する設定データを記憶する記憶手段と、前記人体検知手段で検知した人の有無状態と前記記憶手段で記憶している人の有無状態の設定データを比較する比較手段とを具備し、前記比較した結果に基づいてイオン発生器のマイナスイオンの発生とファン装置の回転の動作を制御することを特徴としている。
【００１４】
請求項８記載の発明は、請求項１または請求項２または請求項３において、イオン発生器内蔵型下駄箱に少なくとも１つの収納室と、所定時間または所定時間毎の動作設定をするタイマー設定手段と、前記タイマー設定の設定データを記憶する記憶手段とを具備し、前記記憶した設定データに基づいてイオン発生器のマイナスイオンの発生とファン装置の回転の動作を制御することを特徴としている。
【００１５】
請求項９記載の発明は、請求項１及至８のいずれかの１つの請求項に記載のイオン発生器内蔵型下駄箱において、さらに下駄箱筐体にイオン発生器のマイナスイオンの発生とファン装置の回転の動作を表示する簡易な表示手段と、各制御の状態の表示と各制御の設定の表示と日付と時間を表示することができる表示手段と、各表示の選択と制御のＯＮ／ＯＦＦの選択と運転のＯＮ／ＯＦＦの選択と各設定の入力をすることができる操作手段とを具備していることを特徴としている。
【００１６】
請求項１０記載の発明は、請求項１及至８のいずれかの１つの請求項に記載のイオン発生器内蔵型下駄箱において、イオン発生器内蔵型下駄箱の筐体の面に炭を素材にしている少なくとも１つの面または面の一部に構成し筐体からの脱着構造を具備していることを特徴としている。
【００１７】
請求項１１記載の発明は、請求項１及至８のいずれかの１つの請求項に記載のイオン発生器内蔵型下駄箱において、下駄箱の履物を出し入れするときに使用する扉を閉めたときに扉と筐体本体を密着する密着手段を具備することにより、下駄箱筐体内のマイナスイオンが混入している空気及び下駄箱筐体内の臭いと細菌が扉と筐体本体の隙間から放出されないことを特徴としている。
【００１８】
請求項１２記載の発明は、イオン発生器内蔵型下駄箱において、下駄箱筐体内の履物を収納する収納室とは異なる下駄箱筐体内の場所に隔壁を構成する別室を具備し、さらに前記別室に下駄箱筐体内の履物を収納する収納室を循環するマイナスイオンが混入している内気の空気と外気を取入れマイナスイオンが混入している空気を下駄箱筐体外に放出する空気が混同しないように隔壁を構成する内気流通路と外気流通路の構造と、さらに電気機器を隔壁で仕切る筐体内の構造になっていることを特徴としている。
【発明の効果】
【００１９】
履物に付着して運ばれてきた細菌類及び履物の中の臭い元となる細菌をイオン発生器から放出されるマイナスイオンが下駄箱内を循環することによって、履物に付着している細菌類を殺菌し履物を清潔にした状態で毎日使用することができる。
【００２０】
履物に付着して運ばれてきた細菌類を玄関等に撒き散らしたとしても、外気用のイオン発生器から放出されるマイナスイオンを玄関周辺に放出することによって、玄関周辺に付着している及び浮遊している細菌類を殺菌し玄関周辺の衛生状態が良く保たれた状態で玄関を毎日使用することができる。
【００２１】
イオン発生器とファン装置の運転を電気制御によって実施することにより、衛生的な履物及び設置場所が使用できる。
【００２２】
下駄箱の本体に炭の素材を用いた材料を使用することによって、下駄箱内の除湿及び湿度調整等ができることにより、イオン発生器とファン装置を併用することによって、湿気を好む細菌等の繁殖を抑制し履物がいつも最適な環境の中で保存ができる。また、革靴等の履物に発生しやすいカビを防止できる。
【００２３】
下駄箱の履物を出し入れする扉と下駄箱筐体が密着するように、扉に装着したゴムパッキンで密着及び下駄箱を密閉状態にすることにより、扉に装着したゴムパッキンの効果で下駄箱筐体外に下駄箱筐体内の空気が漏れないことから、高濃度のマイナスイオンで履物に付着している及び浮遊している細菌類を下駄箱内で臭いの消臭と細菌の殺菌の処理ができることによって下駄箱筐体外も衛生的に保たれる。そして、下駄箱内外において臭い消臭と細菌の殺菌ができることから下駄箱内外は衛生的に保たれる。
【００２４】
下駄箱は一般的に家具の部類とされているものが家電へと変化する。
【発明を実施するための最良の形態】
【００２５】
本発明の実施例について図面の図１から図５を用いて説明する。図１はイオン発生器内蔵型下駄箱の前面側から見た傾斜透視図、図２はイオン発生器内蔵型下駄箱の上面パネルを取外してみた場合の上面から見た配置図、図３はイオン発生器内蔵型下駄箱の右扉を開けて見た右扉のゴムパッキン配置図、図４はイオン発生器内蔵型下駄箱の右側面透視図で見た下駄箱筐体内の内気の空気流動経路図、図５はイオン発生器内蔵型下駄箱の左側面透視図で見た下駄箱筐体外の外気の空気流動経路図を用い以下にイオン発生器内蔵型下駄箱について説明する。
【００２６】
はじめに本実施例のイオン発生器内蔵型下駄箱は、下駄箱筐体には炭の素材効果が有る材料を筐体の側面、下面、背面、前面、上面の少なくとも１つの面に用い、面の全体または面の一部に構成する。そして、以下に示す炭の素材効果が無くなってしまった場合を考慮して交換または清掃できる脱着構造の機能を設けて取外しと取付ができるようにする。このことによって、炭の素材効果は清掃できることによって長期的に持続することができる。この炭の素材効果には下駄箱筐体内の除湿、湿度調整、除菌、マイナスイオンの放出、臭いの消臭、有害物質の吸脱着効果等があるものを下駄箱筐体に用いている下駄箱筐体１と、下駄箱筐体内の履物を収納する収納室をマイナスイオン化する手段には、この下駄箱筐体内の履物を収納する収納室の上を隔壁（仕切壁）１６で仕切り、前記隔壁（仕切壁）１６に下駄箱筐体内の履物を収納する収納室の空気を取入れる吸入口を設け履物に付着して入ってきた粉塵等を除去する効果があるエアーフィルタを前記吸入口に構成し、エアーフィルタは前記粉塵等で汚れて効果が無くなってしまった場合を考慮して交換または清掃できる脱着構造の機能を設けて取外しと取付ができるようになっているエアーフィルタ付内気吸入口２と、前記エアーフィルタ付内気吸入口２から入ってくる空気を取入れるファン装置の空気の吸入口を別の隔壁（仕切壁）１６に形成するファン装置吸入口（内気用）３と、前記ファン装置吸入口（内気用）３から空気を吸引し吹出口に放出するファン装置（内気用）４と、前記ファン装置（内気用）４から放出された空気にマイナスイオンを混入するイオン発生器（内気用）５と、前記イオン発生器（内気用）５によってマイナスイオンが混入している空気を下駄箱筐体内の履物を収納する収納室に放出するように導く内気管６と、前記内気管６によって導かれたマイナスイオンが混入している空気を下駄箱筐体内の履物を収納する収納室に放出する吹出口を履物を収納する収納室の上の隔壁（仕切壁）１６に形成する内気吹出口７と、前記内気吹出口７から放出されるマイナスイオンが混入している空気の放出方向を決める内気流動用風向板２９と、前記決められた放出方向のマイナスイオンが混入している空気が履物を収納する収納室を流動するように下駄箱筐体内に形成している空気流動経路３０と、安定してマイナスイオンが混入している空気が流動するように扉の隙間からマイナスイオンが混入している空気や収納室内の細菌と細菌による臭いが漏れないようにする左右の扉にゴムパッキン２８とを構成する。そして、前記エアーフィルタ付内気吸入口２から内気吹出口７まで下駄箱筐体内の履物を収納する収納室の空気の内気流通路８が形成される筒状にしたもので履物を収納する収納室の空気が流動し循環するようにしている。
【００２７】
また、上記実施例の他に簡易な手段として、下駄箱筐体１の下駄箱筐体内に空気を吸引し吹出口に放出するファン装置（内気用）４と、前記ファン装置（内気用）４から放出された空気にマイナスイオンを混入するイオン発生器（内気用）５と、前記マイナスイオンが混入している空気が履物を収納する収納室を流動するように下駄箱筐体内に形成している空気流動経路３０とを構成したものでも可能である。
【００２８】
下駄箱筐体外の外気の空気すなわち下駄箱筐体１を設置している玄関等の空気をマイナスイオン化する手段として、下駄箱筐体１の下駄箱筐体内の履物を収納する収納室の上を隔壁（仕切壁）１６で仕切り、さらに履物を収納する収納室の内気の空気をマイナスイオン化する処理部分と外気の空気をマイナスイオン化する処理部分を隔壁（仕切壁）１６で仕切り内気と外気の空気をマイナスイオン化する処理室を個々に構成する。このことによって、履物を収納する収納室の内気の空気をマイナスイオン化する処理室と外気の空気をマイナスイオン化する処理室とに別れ内気と外気の空気が混同しないことにより衛生的になる。
【００２９】
下駄箱筐体外をマイナスイオン化する手段には、この下駄箱筐体１に下駄箱筐体外の外気の空気を取入れる吸入口を設け外気の粉塵等除去する効果があるエアーフィルタを前記吸入口に構成し、エアーフィルタは前記粉塵等で汚れ効果が無くなってしまった場合を考慮して交換または清掃できる脱着構造の機能を設けて取外しと取付ができるようになっているエアーフィルタ付外気吸入口９と、前記エアーフィルタ付外気吸入口９から入ってくる空気を取入れるファン装置の空気の吸入口を別の隔壁（仕切壁）１６に形成するファン装置吸入口（外気用）１０と、前記ファン装置吸入口（外気用）１０から空気を吸引し吹出口に放出するファン装置（外気用）１１と、前記ファン装置（外気用）１１から放出された空気にマイナスイオンを混入するイオン発生器（外気用）１２と、前記イオン発生器（外気用）１２によってマイナスイオンが混入している空気を下駄箱筐体外に放出するように導く外気管１３と、前記外気管１３によって導かれたマイナスイオンが混入している空気を下駄箱筐体外に放出する外気吹出口１４とを構成する。そして、エアーフィルタ付外気吸入口９から外気吹出口１４まで下駄箱筐体内で外気の空気の外気流通路１５が形成される筒状にしたものにする。内気、外気ともにファン装置とイオン発生器は共通品を使用すると製品コストを抑えられる。
【００３０】
そして、ファン装置（内気用）４とイオン発生器（内気用）５とファン装置（外気用）１１とイオン発生器（外気用）１２の動作を制御する手段としては、下駄箱筐体１の下駄箱筐体内の履物を収納する収納室の上を隔壁（仕切壁）１６で仕切り、さらに履物を収納する収納室の内気の空気をマイナスイオン化する処理室と外気の空気をマイナスイオン化する処理室のマイナスイオンの放出量に電源装置１７や制御装置（マイクロコンピュータ）１８等から放出される電磁波で影響がないように電気機器の電磁波を遮断する為の隔壁（仕切壁）１６で仕切り電気機器の処理室を構成する。このことによってイオン発生器は電磁波の影響を抑制でき安定してマイナスイオンを放出することができる。また、筐体内の電気機器の湿気等によるトラブル防止にもなる。電磁波や湿気等の影響がないのであれば電気機器の処理室に隔壁（仕切壁）１６を構成しないでも可能である。この前記電気機器の処理室には本発明で実装している電気機器に電源を供給する電源装置１７と、臭い検知センサ装置２２と湿度検知センサ装置２３と開閉ＳＷセンサ装置２４（ＳＷはスイッチの略）と人体検知センサ装置２５から送られてくるデータで状況を判断することができ、ファン装置（内気用）４とイオン発生器（内気用）５とファン装置（外気用）１１とイオン発生器（外気用）１２と表示装置（パネル）１９と表示装置（ランプ）２０と操作装置２１と警報ブザー２６と照明装置２７と日付と時間等のタイマー動作とを制御する制御装置（マイクロコンピュータ）１８と、各制御の状態を表示するモニタ表示、操作装置２１で表示装置を見ながら制御の選択や設定入力する場合の表示、日付と時間等を表示する液晶パネルやＬＥＤパネル等の表示装置（パネル）１９と、ファン装置（内気用）４とイオン発生器（内気用）５とファン装置（外気用）１１とイオン発生器（外気用）１２の動作状況をＬＥＤ等の点灯または消灯で簡易に表示する表示装置（ランプ）２０と、各制御の設定、日付と時間の設定、制御の運転の開始と終了等の入力をする操作装置２１と、イオン発生器内蔵型下駄箱の前で人の有無状態を検知する人体検知センサ装置２５と、開閉ＳＷセンサ装置２４で履物を出し入れする扉が開いている場合に電子音を発する警報ブザー２６とを構成する。取付位置等は下駄箱筐体１の容積等の仕様に合せて対応することもできることからこれに限定されるものではない。
【００３１】
その他電気機器でファン装置（内気用）４とイオン発生器（内気用）５とファン装置（外気用）１１とイオン発生器（外気用）１２の動作を制御する手段に関わるものとして、下駄箱筐体１の履物を収納する収納室に、収納室内のバクテリア等の細菌による臭いやカビの臭い等の臭いを検知する臭い検知センサ装置２２と、収納室内の湿度を検知する湿度検知センサ装置２３と、収納室の履物を出し入れするときに扉の開閉を検知する開閉ＳＷセンサ装置２４とを構成する。その他履物を収納する収納室には前記開閉ＳＷセンサ装置２４において扉が開いている状態を制御装置（マイクロコンピュータ）１８の判断に基づいて収納室を点灯する照明装置２７を構成する。取付位置等は下駄箱筐体１の容積等の仕様に合せて対応することもできることからこれに限定されるものではない。
【００３２】
上記を構成する図１のイオン発生器内蔵型下駄箱の前面側から見た傾斜透視図はそれぞれの部品の配置を示している。但し、内気流動用風向板２９は図面が理解しずらくなるのでこの図１では省略している。上記構成の他には履物を出し入れする扉は蝶番を用い扉の開動作には取っ手を用いるようにしている。そして、履物を収納する収納室は３段で右端はブーツ等の丈が長いのを置けるようにしている。前期収納室及び下駄箱筐体の設計は使用場所や家族構成等多種多様な仕様が考察されるので本発明の実施例に限定されるものではない。
【００３３】
図２はイオン発生器内蔵型下駄箱の上面パネルを取外してみた場合の上面から見た配置図は履物を収納する収納室上の隔壁（仕切壁）１６と部品の配置を示している。隔壁（仕切壁）１６によって、履物を収納する収納室の上を仕切り、さらに隔壁（仕切壁）１６によって、中央の履物を収納する収納室の内気の空気をマイナスイオン化する処理室と左側の外気の空気をマイナスイオン化する処理室と右側の電気機器の処理室に仕切られていることを示している。このことによって下駄箱筐体内の履物を収納する収納室の上は隔壁（仕切壁）１６により、内気をマイナスイオン化する処理室と外気をマイナスイオン化する処理室と前記内気と外気をマイナスイオン化する処理を制御する電気機器の処理室に分割される。但し、隔壁（仕切壁）１６は本発明で使用する電気機器の電源や信号等のケーブル線を通す穴等を設けているものを使用する。個々の処理室の場所は下駄箱筐体１の容積等の仕様に合せて対応することもできることからこれに限定されるものではない。
【００３４】
中央の履物を収納する収納室の内気の空気をマイナスイオン化する処理室は、履物を収納する収納室の内気の空気がエアーフィルタ付内気吸入口２から入り前記エアーフィルタ付内気吸入口２から入ってくる空気を取入れるファン装置の空気の吸入口を隔壁（仕切壁）１６に形成するファン装置吸入口３（内気用）と、前記ファン装置吸入口（内気用）３から空気を吸引し吹出口に放出するファン装置（内気用）４と、前記ファン装置（内気用）４から放出された空気にマイナスイオンを混入するイオン発生器（内気用）５と、前記イオン発生器（内気用）５によってマイナスイオンが混入している空気を下駄箱筐体内の履物を収納する収納室に放出するように導く内気管６と、前記内気管６によって導かれたマイナスイオンが混入している空気を下駄箱筐体内の履物を収納する収納室に放出する内気吹出口７を隔壁（仕切壁）１６に形成し内気の空気をマイナスイオン化する処理室は構成されている。そして、内気流通路８を二股型の筒状に形成されている。前記内気流通路８は安定してマイナスイオンが混入している空気が履物を収納する収納室に放出され流動するように空気が漏れない構造にするとともに下駄箱筐体内に空気流動経路を形成する。構成する部品間に空気の漏れがある場合はパッキン等を用いる。前記内気管６は二股型になっているが下駄箱筐体１の容積等の仕様に合せて対応することもできることから内気管６は二股型に限定されるものではない。
【００３５】
左側の外気の空気をマイナスイオン化する処理室は、下駄箱筐体外の外気の空気がエアーフィルタ付外気吸入口９から入り前記エアーフィルタ付外気吸入口９から入ってくる空気を取入れるファン装置の空気の吸入口を隔壁（仕切壁）１６に形成するファン装置吸入口（外気用）１０と、前記ファン装置吸入口（外気用）１０から空気を吸引し吹出口に放出するファン装置（外気用）１１と、前記ファン装置（外気用）１１から放出された空気にマイナスイオンを混入するイオン発生器（外気用）１２と、前記イオン発生器（外気用）１２によってマイナスイオンが混入している空気を下駄箱筐体外に放出するように導く外気管１３と、前記外気管１３によって導かれたマイナスイオンが混入している空気を下駄箱筐体外に外気吹出口１４から放出するように外気の空気をマイナスイオン化する処理室は構成されている。そして、外気流通路１５をＬ型の筒状に形成されている。前記外気流通路１５は安定してマイナスイオンが混入している空気を下駄箱筐体外に放出できるように空気が漏れない構造にする。構成する部品間に空気の漏れがある場合はパッキン等を用いる。前記外気管１３は直管型になっているが下駄箱筐体１の仕様に合せて対応することもできることから外気管１３は直管型に限定されるものではない。
【００３６】
右側の電気機器の処理室は、本発明で実装している電気機器に電源を供給する電源装置１７と、臭い検知センサ装置２２と湿度検知センサ装置２３と開閉ＳＷセンサ装置２４と人体検知センサ装置２５から送られてくるデータで状況を判断することができ、ファン装置（内気用）４とイオン発生器（内気用）５とファン装置（外気用）１１とイオン発生器（外気用）１２と表示装置（パネル）１９と表示装置（ランプ）２０と操作装置２１と警報ブザー２６と照明装置２７と日付と時間等のタイマー動作とを制御する制御装置（マイクロコンピュータ）１８と、操作装置２１で表示装置を見ながら制御の選択や設定を入力する場合の表示、各制御の状態を表示するモニタ表示、日付と時間の表示等を表示する液晶パネルやＬＥＤパネル等の表示装置（パネル）１９と、ファン装置（内気用）４とイオン発生器（内気用）５とファン装置（外気用）１１とイオン発生器（外気用）１２の動作状況をＬＥＤ等の点灯または消灯で簡易に表示する表示装置（ランプ）２０と、各制御の設定、日付と時間の設定、制御の運転の開始と終了等を入力する操作装置２１と、イオン発生器内蔵型下駄箱の前で人の有無状態を検知する人体検知センサ装置２５と、開閉ＳＷセンサ装置２４で履物を出し入れする扉が開いている場合に電子音を発する警報ブザー２６とを構成する。
【００３７】
図３のイオン発生器内蔵型下駄箱の右扉を開けて見た右扉のゴムパッキン配置図は、右扉のゴムパッキン２８の配置図を示している。左右の扉の内側にはゴムパッキン２８を構成し下駄箱筐体１にゴムパッキン２８が密着する面を形成することにより、扉を閉めることによって履物を収納する収納室の空気が漏れないようにする。夏場等の気温が高く暑いときや湿度が高いとき等に顕著に現れる心地よくないと思われる臭いをこのゴムパッキンによって、収納している履物等の臭いが漏れないようにしている。また、細菌が逃げないように収納室内で死滅するようにしていることから衛生的である。そして、下駄箱は玄関等の人の出入りが多いと思われる場所に設置されることから来客があった場合に気にならないようにしていることからも衛生的である。ゴムパッキン２８には現在冷蔵庫に使用されているものを使用しても可能である。前記冷蔵庫に使用されているゴムパッキンの場合は下駄箱筐体１のゴムパッキンと面する部分を磁気体が付着する金属製にすると可能である。
【００３８】
図４のイオン発生器内蔵型下駄箱の右側面透視図で見た下駄箱筐体内の内気の空気流動経路図は、下駄箱筐体内の履物を収納する収納室の空気がエアーフィルタ付内気吸入口２から吸引されて内気吹出口７から放出されるマイナスイオンが混入している内気の空気流動経路を示している。下駄箱筐体内の空気が流動するように履物を収納する収納台は底の収納台を除いて、収納台に下駄箱筐体１の前面側と背面側に空気が通る為の空気流動経路を形成する。そして、内気吹出口７から放出されるマイナスイオンが混入している空気が各収納台に到達するように内気流動用風向板２９で収納台の一箇所に集中しないよう長さと角度を調整したものを構成する。前記マイナスイオンが混入している空気流動経路の形成と内気流動用風向板２９の構成によって、内気吹出口７から放出されたマイナスイオンが混入している空気は履物または収納台に吹付けマイナスイオンによって臭いの消臭と細菌を殺菌する。また、吹付けられた空気によって細菌が舞上ってエアーフィルター付内気吸入口２を通り抜けて吸引されたとしても直接にイオン発生器（内気用）５で細菌は殺菌される。また、履物を収納する収納室の湿度が高い場合は、流動する空気によって湿気の元を下駄箱筐体１に使用している炭の筐体部分内側で湿気を吸着して、吸着した湿気は外気に面する炭の筐体部分外側から蒸散させる。また、イオン発生器内蔵型下駄箱に用いる炭には、主に除湿と湿度調整があるものを用い、その他に除菌、マイナスイオンの放出、臭いの消臭、有害物質の吸脱着効果等があるものを用いることで、履物を収納する収納室の中をマイナスイオンが混入している空気が流動し循環することから様々な効果が得られるとともに除湿機等が要らないことにより製品コストを抑えられる。また、効果が弱まったと感じたときは、下駄箱筐体１の炭を用いている部分を清掃して炭本来の効果を回復できようにすることによりランニングコストを抑えられる。また、エアーフィルタ付内気吸入口２も清掃してエアーフィルタ本来の効果が回復できるものを使用することによりランニングコストを抑えられるとともに、ファン装置（内気用）４とイオン発生器（内気用）５と電気機器の保護にもなる。
【００３９】
図５のイオン発生器内蔵型下駄箱の左側面透視図で見た下駄箱筐体外の外気の空気流動経路図は、下駄箱筐体外の空気がエアーフィルタ付外気吸入口９から吸引されて外気吹出口１４から放出されるマイナスイオンが混入している外気の空気流動経路を示している。本発明を設置している玄関等において、玄関を開けたときに入ってきた細菌や履物に付着して入ってきた細菌をマイナスイオンが混入している空気で外気に存在する細菌を殺菌する。また、エアーフィルタ付外気吸入口９は清掃してエアーフィルタ本来の効果が回復できるものを使用することによりランニングコストを抑えられるとともに、ファン装置（外気用）１１とイオン発生器（外気用）１２と電気機器の保護にもなる。
【００４０】
次に本発明の制御について図６から図１０を用いて説明する。図６はイオン発生器内蔵型下駄箱の制御ブロック図、図７はイオン発生器内蔵型下駄箱の臭い検知センサ装置との動作フローチャート図、図８はイオン発生器内蔵型下駄箱の湿度検知センサ装置との動作フローチャート図、図９はイオン発生器内蔵型下駄箱の開閉ＳＷセンサ装置との動作フローチャート図、図１０はイオン発生器内蔵型下駄箱の人体検知センサ装置との動作フローチャート図を用いて以下にイオン発生器内蔵型下駄箱の制御について説明する。
【００４１】
はじめに図６のイオン発生器内蔵型下駄箱の制御ブロック図を用いて制御を説明する。イオン発生器内蔵型下駄箱の下駄箱筐体１には、演算処理部のＣＰＵ、記憶部のＲＯＭとＲＡＭ、状態を判断する判断部、電源や信号の入出力部等で制御部を構成する制御装置（マイクロコンピュータ）１８を設けており、下駄箱筐体１に設けている以下に示すファン装置（内気用）４の回転速度とイオン発生器（内気用）５のマイナスイオン発生量とファン装置（外気用）１１の回転速度とイオン発生器（外気用）１２のマイナスイオン発生量と表示装置（パネル）１９の液晶パネルまたはＬＥＤパネル等の画面の表示と表示装置（ランプ）２０のＬＥＤ等の点灯と操作装置２１の入力機能と警報ブザー２６の電子音の発信と照明装置２７の電球またはＬＥＤ等の点灯とを制御する。そして、日付と時間の制御とタイマーを用いた上記電気機器の制御は制御装置（マイクロコンピュータ）１８のタイマー機能を使用する。
【００４２】
本発明の制御をするデータには、下駄箱筐体１に履物を収納する収納室の履物に付着している場合にバクテリアやカビ等の細菌による要因で発せられる臭いを検知する臭い検知センサ装置２２と履物を収納する収納室の湿度を検知する湿度検知センサ装置２３と履物を収納する収納室の扉の開閉状態を検知する開閉ＳＷセンサ装置２４（ＳＷはスイッチの略）と人の有無状態を検知する人体検知センサ装置２５とを設けており、これら各々のデータとともに操作装置２１の設定等の入力データを用いる。
【００４３】
本発明の電源装置１７の電源をＯＮにしたならば、操作装置２１のスイッチの入力が可能となり、操作装置２１の設定の入力は表示装置（パネル）１９の画面を見ながら選択して入力する。内気用と外気用のファン装置とイオン発生器の運転を制御する選択の入力は、臭い検知センサ装置２２と湿度検知センサ装置２３と開閉ＳＷセンサ装置２４と人体検知センサ装置２５を任意に選択して入力する。そして、制御装置（マイクロコンピュータ）１８のタイマー機能を用いて運転時間を指定して制御する場合は、例えば夜間のみ運転時間を指定したい場合は開始時間を午後６：００〜終了時間を翌日午前６：００に設定する等、時間指定して運転を制御したりする設定をユーザが任意に選択できることにより省エネも可能である。これら設定の選択の入力は重複しても良いようにする。
【００４４】
そして、臭い検知センサ装置２２を選択して入力したならば運転を制御する臭いの種類や臭いの強弱等の設定を選択して入力できたり、湿度検知センサ装置２３を選択して入力したならば運転を制御する湿度の高低の設定を選択して入力できたり、開閉ＳＷセンサ装置２４を選択して入力したならば運転を制御する時間の長さの設定を選択して入力することができたり、人体検知センサ装置２５を選択して入力したならば人の存在があったことを検知したときの運転を制御する時間の長さの設定を選択して入力できるようにユーザがマニュアル操作で運転の制御を選択できるようにする。また、操作に弱い人の為にバクテリアやカビ等の細菌による要因で発せられる臭いや細菌の繁殖を抑制できる自動設定を選択できるようにユーザがオート操作で運転の制御ができるようにする。また、表示パネル（パネル）１９は運転を制御する選択画面の他には、各制御状態を表示するモニタ表示や日付と時間を表示し時計等にも使用できるようにする。よって、設置した玄関等に他の時計が不要になるとともにアクセサリーとなる。時計の日付と時間は操作装置２１の入力で設定し制御装置１８（マイクロコンピュータ）で制御する。
【００４５】
上記の臭い検知センサ装置２２と湿度検知センサ装置２３と開閉ＳＷセンサ装置２４と人体検知センサ装置２５の設定データの入力が終了したならば制御装置（マイクロコンピュータ）１８の準備が整い待機となる。これら設定データは制御装置（マイクロコンピュータ）１８の記憶部に記憶される。次回からは前記記憶部に記憶されている設定データで運転の制御が可能となる。
【００４６】
そして、操作装置２１の運転を制御する開始スイッチをＯＮにしたならば、ファン装置（内気用）４の回転速度とイオン発生器（内気用）５のマイナスイオン発生量とファン装置（外気用）１１の回転速度とイオン発生器（外気用）１２のマイナスイオン発生量と表示装置（ランプ）２０のＬＥＤ等の点灯とを制御する動作が開始する。また、操作装置２１の運転を制御する運転の終了スイッチをＯＦＦにしたならば、運転を制御する動作が終了する。
【００４７】
臭い検知センサ装置２２が履物を収納する収納室の臭いを検知している場合に制御部は臭い検知センサ装置２２から送られてくるデータにおいて、バクテリアやカビ等の細菌による要因で発せられる臭いの強さが設定値以上であると判断されたならば、ファン装置（内気用）４の回転とイオン発生器（内気用）５のマイナスイオン発生する動作を実行するとともに表示装置（ランプ）２０を点灯し動作を表示する。そして、動作中に臭いの強さが設定値以下になったならばファン装置（内気用）４とイオン発生器（内気用）５の動作を停止し表示装置（ランプ）２０を消灯する。臭いの強弱に応じて自動制御する。
【００４８】
湿度検知センサ装置２３が履物を収納する収納室の湿度を検知している場合に制御部は湿度検知センサ装置２３から送られてくるデータにおいて、湿度が設定値以上であると判断されたならば、ファン装置（内気用）４の回転とイオン発生器（内気用）５のマイナスイオン発生する動作を実行するとともに表示装置（ランプ）２０を点灯し動作を表示する。そして、動作中に湿度の高さが設定値以下になったならばファン装置（内気用）４とイオン発生器（内気用）５の動作を停止し表示装置（ランプ）２０を消灯する。湿度の高低に応じて自動制御する。
【００４９】
開閉ＳＷセンサ装置２４が履物を収納する収納室の扉の開閉状態を検知している場合に制御部は開閉ＳＷセンサ装置２４から送られてくるデータにおいて、扉が開いていると判断されたならば、照明装置２７を点灯し収納室内を明るくする。そして、設定時間以上に開いていると判断されたならば、閉め忘れ警報として警報ブザー２６の電子音を鳴らしユーザに知らせる。また、ファン装置（内気用）４の回転とイオン発生器（内気用）５のマイナスイオン発生する動作を実行している状態であった場合は扉が開いたと判断されると同時に動作を自動停止する。また、扉を閉めていると判断されている場合は照明装置２７を消灯し、電子音の警報ブザーが鳴っていた場合は電子音の警報ブザーを停止する。そして、ファン装置（内気用）４の回転速度とイオン発生器（内気用）５のマイナスイオン発生量の制御を再実行する。また、履物を収納する扉の開閉状態が開から閉となったことにより連動してファン装置（内気用）４の回転速度とイオン発生器（内気用）５のマイナスイオン発生量の動作を設定された所定時間において制御するようにしていた場合は、制御部で開閉ＳＷセンサ装置２４から送られてくるデータにおいて、扉が開状態から閉状態になったことを判断されたならば設定された所定時間内はファン装置（内気用）４の回転とイオン発生器（内気用）５のマイナスイオン発生する動作を実行するとともに表示装置（ランプ）２０を点灯し動作を表示する。そして、所定時間が過ぎたならばファン装置（内気用）４とイオン発生器（内気用）５の動作を停止し表示装置（ランプ）２０を消灯する。
【００５０】
人体検知センサ装置２５が人の有無状態を検知しているときにセンサ前を人が横切ったり、停止したりした場合に制御部は人体検知センサ装置２５から送られてくるデータにおいて、イオン発生器内蔵型下駄箱の前を人が横切ったり、停止したりしたことが判断されたならば、ファン装置（外気用）１１の回転とイオン発生器（外気用）１２のマイナスイオン発生する動作を実行するとともに表示装置（ランプ）２０を点灯し表示する。タイマー設定時間を例えば２０分に設定していたならば人の存在が検知されなくなって２０分後にファン装置（外気用）１１とイオン発生器（外気用）１２の動作を停止し表示装置（ランプ）２０を消灯する。
【００５１】
次に上記に説明した臭い検知センサ装置２２と湿度検知センサ装置２３と開閉ＳＷセンサ装置２４と人体検知センサ装置２５の動作フローチャートを用いて制御を詳しく説明する。
【００５２】
図７はイオン発生器内蔵型下駄箱の臭い検知センサ装置との動作フローチャート図である。電源が入ると制御装置（マイクロコンピュータ）１８の各々のセンサに関する設定や入出力ポートの設定等システムの初期設定（Ｓ１０１）を実行する。制御装置（マイクロコンピュータ）１８に電源が入ったならば、運転の制御の設定データが変更できるようになる。操作装置２１の運転の制御を実行する入力の開始スイッチをＯＮ（Ｓ１０２）にしたならば、開閉ＳＷセンサ装置２４の履物を収納する収納室の扉の開閉状態（Ｓ１０３）を判断する。扉が開いている状態であると判断されたならば待機となる。扉が閉じている状態であると判断されたならば履物を収納する収納室の臭い検知センサ装置２２の機能がＯＮ（Ｓ１０４）の設定になっているかを判断する。ＯＦＦの設定になっていたならば臭い検知センサ装置２２の制御は機能しない。ＯＮの設定になっていたならば臭い検知センサ装置２２の機能の動作が開始（Ｓ１０５）され制御部に臭いのデータを送信する。そして、前記送られてくる臭いのデータ毎に臭いの強さが設定値以上であるかの判断（Ｓ１０６）をする。前記臭いのデータで臭いの強さが設定値以上であると判断されたならばファン装置（内気用）４とイオン発生器（内気用）５が動作中であることを表示する表示装置（ランプ）２０を点灯（Ｓ１０７）するとともに、ファン装置（内気用）４（Ｓ１０８）とイオン発生器（内気用）５（Ｓ１０９）の動作が開始する。
【００５３】
そして、開閉ＳＷセンサ装置２４で扉の開閉状態が閉状態を保持継続中であるか（Ｓ１１０）の判断をする。そして、扉が閉状態を保持していると判断されている状態ならば前記臭いのデータ毎に臭いの強さが設定値以下になったか（Ｓ１１１）を判断する。前記扉が閉状態を保持していると判断されている間は前記臭いのデータ毎の設定値以下になったかの判断を継続する。前記データの臭いの強さが設定値以下になったならば、イオン発生器（内気用）５（Ｓ１１２）とファン装置（内気用）４（Ｓ１１３）の動作を終了するとともに、表示装置（ランプ）２０を消灯し（Ｓ１１４）、開閉ＳＷセンサ装置２４の履物を収納する収納室の扉の開閉状態（Ｓ１０３）を判断するところまでリターンする。
【００５４】
また、臭いのデータ毎に臭いの強さが設定値以下になったか（Ｓ１１１）の判断の継続中において、開閉ＳＷセンサ装置２４で扉が閉状態を保持継続中であるか（Ｓ１１０）の判断が開状態になったと判断されたならば、イオン発生器（内気用）５（Ｓ１１２）とファン装置（内気用）４（Ｓ１１３）の動作を強制終了するとともに、表示装置（ランプ）２０を消灯し（Ｓ１１４）、開閉ＳＷセンサ装置２４の履物を収納する収納室の扉の開閉状態（Ｓ１０３）を判断するところまでリターンする。
【００５５】
図８はイオン発生器内蔵型下駄箱の湿度検知センサ装置との動作フローチャート図である。電源が入ると制御装置（マイクロコンピュータ）１８の各々のセンサに関する設定や入出力ポートの設定等システムの初期設定（Ｓ２０１）を実行する。制御装置（マイクロコンピュータ）１８に電源が入ったならば、運転の制御の設定データが変更できるようになる。操作装置２１の運転の制御を実行する入力の開始スイッチをＯＮ（Ｓ２０２）にしたならば、開閉ＳＷセンサ装置２４の履物を収納する収納室の扉の開閉状態（Ｓ２０３）を判断する。扉が開いている状態であると判断されたならば待機となる。扉が閉じている状態であると判断されたならば履物を収納する収納室の湿度検知センサ装置２３の機能がＯＮ（Ｓ２０４）の設定になっているかを判断する。ＯＦＦの設定になっていたならば湿度検知センサ装置２３の制御は機能しない。ＯＮの設定になっていたならば湿度検知センサ装置２３の機能の動作が開始（Ｓ２０５）され制御部に湿度のデータを送信する。そして、前記送られてくる湿度のデータ毎に湿度の高さが設定値以上であるかの判断（Ｓ２０６）をする。前記データの湿度の高さが設定値以上であると判断されたならばファン装置（内気用）４とイオン発生器（内気用）５が動作中であることを表示する表示装置（ランプ）２０を点灯（Ｓ２０７）するとともに、ファン装置（内気用）４（Ｓ２０８）とイオン発生器（内気用）５（Ｓ２０９）の動作が開始する。
【００５６】
そして、開閉ＳＷセンサ装置２４で扉の開閉状態が閉状態を保持継続中であるか（Ｓ２１０）の判断をする。そして、扉が閉状態を保持していると判断されている状態ならば前記湿度のデータ毎に設定値以下になったか（Ｓ２１１）を判断する。前記扉が閉状態を保持していると判断されている間は前記湿度のデータ毎の設定値以下になったかの判断を継続する。前記データの湿度の高さが設定値以下になったならば、イオン発生器（内気用）５（Ｓ２１２）とファン装置（内気用）４（Ｓ２１３）の動作を終了するとともに、表示装置（ランプ）２０を消灯し（Ｓ２１４）、開閉ＳＷセンサ装置２４の履物を収納する収納室の扉の開閉状態（Ｓ２０３）を判断するところまでリターンする。
【００５７】
また、湿度のデータ毎に湿度の高さが設定値以下になったか（Ｓ２１１）の判断の継続中において、開閉ＳＷセンサ装置２４で扉が閉状態を保持継続中であるか（Ｓ２１０）の判断が開状態になったと判断されたならば、イオン発生器（内気用）５（Ｓ２１２）とファン装置（内気用）４（Ｓ２１３）の動作を強制終了するとともに、表示装置（ランプ）２０を消灯し（Ｓ２１４）、開閉ＳＷセンサ装置２４の履物を収納する収納室の扉の開閉状態（Ｓ２０３）を判断するところまでリターンする。
【００５８】
図９はイオン発生器内蔵型下駄箱の開閉ＳＷセンサ装置との動作フローチャート図である。電源が入ると制御装置（マイクロコンピュータ）１８の各々のセンサに関する設定や入出力ポートの設定等システムの初期設定（Ｓ３０１）を実行する。制御装置（マイクロコンピュータ）１８に電源が入ったならば、運転の制御の設定データが変更できるようになる。そして、開閉ＳＷセンサ装置２４の機能の動作が開始（Ｓ３０２）され制御部に履物を収納する収納室の扉の開閉状態をデータで送信する。前記扉の開閉状態のデータは臭い検知センサ装置２２と湿度検知センサ装置２３にも使用している。そして、開閉ＳＷセンサ装置２４の履物を収納する収納室の扉の開閉状態（Ｓ３０３）を判断する。扉の開閉状態が閉じていると判断されたならば待機となり、扉の開閉状態が開いていると判断されたならば収納室内を照らす照明装置２７を点灯（Ｓ３０４）する。
【００５９】
そして、扉の開閉状態が開である場合はタイマーの動作が開始され、扉の開閉状態が扉の閉め忘れ等で扉が開いている状態が設定時間以上と判断（Ｓ３０５）されたならば、警報ブザー２６は動作を開始して電子音を鳴らし（Ｓ３０６）ユーザに知らせる。設定時間内に扉を閉めたことが判断されたならば（Ｓ３０７）、警報ブザー２６は動作を開始しなとともに、照明装置２７は消灯（Ｓ３０８）する。警報ブザー２６が鳴っていた場合は警報ブザー２６の動作を停止（Ｓ３０９）する。そして、操作装置２１の運転の制御を実行する入力の開始スイッチがＯＮ（Ｓ３１０）状態のときならば、設定で開閉ＳＷセンサ装置２４の扉が閉状態になったと判断した（Ｓ３０７）場合に連動して、ファン装置（内気用）４とイオン発生器（内気用）５と表示装置（ランプ）２０の運転の動作を開始する機能のＯＮ／ＯＦＦの判断（Ｓ３１１）をする。操作装置２１の運転の制御を実行する入力の開始スイッチがＯＦＦ（Ｓ３１０）状態の場合や運転の動作を連動して開始する機能の設定がＯＦＦ（Ｓ３１１）の場合は、開閉ＳＷセンサ装置２４の扉が開状態であるかの判断する（Ｓ３０３）ところまでリターンする。
【００６０】
操作装置２１の運転の制御を実行する入力の開始スイッチがＯＮ（Ｓ３１０）状態で、設定が開閉ＳＷセンサ装置２４の扉が閉状態になったと判断した（Ｓ３０７）場合に連動して、ファン装置（内気用）４とイオン発生器（内気用）５と表示装置（ランプ）２０の動作を開始する機能をＯＮに設定していたならば（Ｓ３１１）、設定されているタイマーの動作が開始（Ｓ３１２）され、タイマー動作と連動してファン装置（内気用）４とイオン発生器（内気用）５が動作中であることを表示する表示装置（ランプ）２０を点灯（Ｓ３１３）するとともに、ファン装置（内気用）４（Ｓ３１４）とイオン発生器（内気用）５（Ｓ３１５）の動作を開始する。
【００６１】
そして、開閉ＳＷセンサ装置２４で扉の開閉状態が閉状態を保持継続中であるか（Ｓ３１６）の判断をする。そして、扉が閉状態を保持継続中であると判断されている間の前記タイマー設定時間内はファン装置（内気用）４とイオン発生器（内気用）５が動作中であることを表示する表示装置（ランプ）２０の点灯（Ｓ３１３）とファン装置（内気用）４（Ｓ３１４）とイオン発生器（内気用）５（Ｓ３１５）の動作を継続する。そして、タイマー設定時間が終了（Ｓ３１７）したと判断されたならば、タイマーの動作を終了し（Ｓ３１８）、イオン発生器（内気用）４（Ｓ３１９）とファン装置（内気用）５（Ｓ３２０）の動作を終了するとともに、表示装置（ランプ）２０を消灯し（Ｓ３２１）、そして、開閉ＳＷセンサ装置２４の扉の開閉状態（Ｓ３０３）を判断するところまでリターンする。
【００６２】
また、タイマー設定時間の動作中において、開閉ＳＷセンサ装置２４で扉が閉状態を保持していること（Ｓ３１６）の判断が開状態になったと判断されたならば、タイマー動作を強制終了（Ｓ３１８）し、イオン発生器（内気用）５（Ｓ３１９）とファン装置（内気用）４（Ｓ３２０）の動作を強制終了するとともに、表示装置（ランプ）２０を消灯し（Ｓ３２１）、そして、開閉ＳＷセンサ装置２４の扉の開閉状態（Ｓ３０３）を判断するところまでリターンする。
【００６３】
図１０はイオン発生器内蔵型下駄箱の人体検知センサ装置との動作フローチャート図である。電源が入ると制御装置（マイクロコンピュータ）の各々のセンサに関する設定や入出力ポートの設定等システムの初期設定（Ｓ４０１）を実行する。制御装置（マイクロコンピュータ）１８に電源が入ったならば、運転の制御の設定データが変更できるようになる。操作装置２１の運転の制御を実行する入力の開始スイッチをＯＮ（Ｓ４０２）にしたならば、人体検知センサ装置２５の機能がＯＮ（Ｓ４０３）の設定になっているかを判断する。ＯＦＦの設定になっていたならば人体検知センサ装置２５の制御は機能しない。ＯＮの設定になっていたならば人体検知センサ装置２５の機能の動作が開始（Ｓ４０４）され制御部に人体の有無状態のデータを送信する。そして、前記送られてくる人体の有無状態のデータ毎に人体の有無の判断（Ｓ４０５）をする。前記人体の有無状態のデータが人体の存在有りと判断されたならば、設定されているタイマーの動作が開始（Ｓ４０６）され、タイマー動作と連動してファン装置（外気用）１１とイオン発生器（外気用）１２が動作中であることを表示する表示装置（ランプ）２０を点灯（Ｓ４０７）するとともに、ファン装置（外気用）１１（Ｓ４０８）とイオン発生器（外気用）１２（Ｓ４０９）の動作が開始する。
【００６４】
そして、タイマーが動作中はファン装置（外気用）１１とイオン発生器（外気用）１２が動作中であることを表示する表示装置（ランプ）２０を点灯（Ｓ４０７）とファン装置（外気用）１１（Ｓ４０８）とイオン発生器（外気用）１２（Ｓ４０９）の動作を継続する。そして、タイマー設定時間が終了（Ｓ４１０）したと判断されたならば、タイマーの動作を終了し（Ｓ４１１）、イオン発生器（外気用）１２（Ｓ４１２）とファン装置（外気用）１１（Ｓ４１３）の動作を終了するとともに、表示装置（ランプ）２０を消灯し（Ｓ４１４）、人体検知センサ装置２５の機能がＯＮ（Ｓ４０３）の設定になっているかを判断するところまでリターンする。
【図面の簡単な説明】
【００６５】
【図１】本発明のイオン発生器内蔵型下駄箱の前面側から見た傾斜透視図である。
【図２】本発明のイオン発生器内蔵型下駄箱の上面パネルを取外してみた場合の上面から見た配置図である。
【図３】本発明のイオン発生器内蔵型下駄箱の右扉を開けて見た右扉のゴムパッキン配置図である
【図４】本発明のイオン発生器内蔵型下駄箱の右側面透視図で見た下駄箱筐体内の内気の空気流動経路図である。
【図５】本発明のイオン発生器内蔵型下駄箱の左側面透視図で見た下駄箱筐体外の外気の空気流動経路図である。
【図６】本発明のイオン発生器内蔵型下駄箱の制御ブロック図である。
【図７】本発明のイオン発生器内蔵型下駄箱の臭い検知センサ装置との動作フローチャート図である。
【図８】本発明のイオン発生器内蔵型下駄箱の湿度検知センサ装置との動作フローチャート図である。
【図９】本発明のイオン発生器内蔵型下駄箱の開閉ＳＷセンサ装置との動作フローチャート図である。
【図１０】本発明のイオン発生器内蔵型下駄箱の人体検知センサ装置との動作フローチャート図である。
【符号の説明】
【００６６】
１…下駄箱筐体、２…エアーフィルタ付内気吸入口、３…ファン装置吸入口（内気用）、４…ファン装置（内気用）、５…イオン発生器（内気用）、６…内気管、７…内気吹出口、８…内気流通路、９…エアーフィルタ付外気吸入口、１０…ファン装置吸入口（外気用）、１１…ファン装置（外気用）、１２…イオン発生器（外気用）、１３…外気管、１４…外気吹出口、１５…外気流通路、１６…隔壁（仕切壁）、１７…電源装置、１８…制御装置（マイクロコンピュータ）、１９…表示装置（パネル）、２０…表示装置（ランプ）、２１…操作装置、２２…臭い検知センサ装置、２３…湿度検知センサ装置、２４…開閉ＳＷセンサ装置、２５…人体検知センサ装置、２６…警報ブザー、２７…照明装置、２８…ゴムパッキン、２９…内気流動用風向板、３０…空気流動経路
【図１】
2005058743.tif 000003
【図２】
2005058743.tif 000004
【図３】
2005058743.tif 000005
【図４】
2005058743.tif 000006
【図５】
2005058743.tif 000007
【図６】
2005058743.tif 000008
【図７】
2005058743.tif 000009
【図８】
2005058743.tif 000010
【図９】
2005058743.tif 000011
【図１０】
2005058743.tif 000012
【手続補正書】
【提出日】平成16年2月9日(2004.2.9)
【手続補正１】
【補正対象書類名】図面
【補正対象項目名】図面１
【補正方法】変更
【補正の内容】
【図１】
2005058743.tif 000013